(57)【要約】【課題】光送受信装置において、装置内に専用電気端子を設けることなく、インシステムプログラミングやインシステムエミュレーション機能を実現可能とする。【解決手段】光送受信装置１００は、光信号を送信する光送信部１０１と、光信号を受信する光受信部１０２と、光送信部１０１及び光受信部１０２を制御する制御部８とを有する。制御部８は、光送信部１０２及び光受信部１０２を介して、外部装置（デバッガ１０）との間で光通信する。好適には、制御部８は、プログラム制御により機能を実現するものであり、外部装置は、プログラムの書き込み及びデバッグを行う機能を有するものであり、制御部８が、光送信部１０１及び光受信部１０２を介して、外部装置との間でプログラムの書き込み及びデバッグに必要な信号を光通信する。【選択図】図１
2009200585.tif 000002
【特許請求の範囲】
【請求項１】
光信号を送信する光送信部と、
光信号を受信する光受信部と、
前記光送信部及び前記光受信部を制御する制御部とを有し、
前記制御部が、前記光送信部及び前記光受信部を介して、外部装置との間で光通信することを特徴とする光送受信装置。
【請求項２】
前記制御部は、プログラム制御により機能を実現するものであり、
前記外部装置は、前記制御部で用いられるプログラムの書き込み及びデバッグを行う機能を有するものであり、
前記制御部が、前記光送信部及び前記光受信部を介して、前記外部装置との間で前記プログラムの書き込み及びデバッグに必要な信号を光通信することを特徴とする請求項１に記載の光送受信装置。
【請求項３】
前記外部装置は、デバッガを有し、
前記制御部が、前記光送信部及び前記光受信部を介して、前記デバッガとの間で前記プログラムのデバッグに必要な信号を光通信することを特徴とする請求項２に記載の光送受信装置。
【請求項４】
前記外部装置は、プログラムローダを有し、
前記制御部が、前記光送信部及び前記光受信部を介して、前記プログラムローダとの間で前記プログラムの書き込みに必要な信号を光通信することを特徴とする請求項２に記載の光送受信装置。
【請求項５】
前記光送信部は、半導体レーザと、前記制御部からの信号に基づいて前記半導体レーザを駆動する駆動回路とを有し、
前記光受信部は、光電変換回路と、前記光電変換回路により光電変換された信号から前記プログラムの書き込み及びデバッグに必要な信号を分離抽出するデータ抽出回路とを有することを特徴とする請求項２から４のいずれか１項に記載の光送受信装置。
【請求項６】
前記光受信部は、前記光電変換回路により光電変換された信号を識別再生してデータとクロックを生成し前記データ抽出回路へ出力する識別再生回路をさらに有することを特徴とする請求項５に記載の光送受信装置。
【請求項７】
前記光送信部を介して送信する信号として、前記制御部から前記外部装置へ送信する信号と主信号とを多重化する多重化装置と、
前記光受信部を介して受信された信号から、前記外部装置から前記制御部への信号と主信号とを分岐させる分岐装置とを更に有することを特徴とする請求項１から６のいずれか１項に記載の光送受信装置。
【請求項８】
前記光送信部及び前記光受信部は、前記外部装置との間で光ファイバ伝送路を介して光通信可能に接続されることを特徴とする請求項１から７のいずれか１項に記載の光送受信装置。
【請求項９】
光信号を送信する光送信部と、光信号を受信する光受信部と、前記光送信部及び前記光受信部を制御する制御部とを有する光送受信装置の通信方法であって、
前記制御部が、前記光送信部及び前記光受信部を介して、外部装置との間で光通信することを特徴とする光送受信装置の通信方法。
【請求項１０】
前記制御部は、プログラム制御により機能を実現するものであり、
前記外部装置は、前記制御部で用いられるプログラムの書き込み及びデバッグを行う機能を有するものであり、
前記制御部が、前記光送信部及び前記光受信部を介して、前記外部装置との間で前記プログラムの書き込み及びデバッグに必要な信号を光通信することを特徴とする請求項９に記載の光送受信装置の通信方法。
【請求項１１】
前記外部装置は、デバッガを有し、
前記制御部が、前記光送信部及び前記光受信部を介して、前記デバッガとの間で前記プログラムのデバッグに必要な信号を光通信することを特徴とする請求項１０に記載の光送受信装置の通信方法。
【請求項１２】
前記外部装置は、プログラムローダを有し、
前記制御部が、前記光送信部及び前記光受信部を介して、前記プログラムローダとの間で前記プログラムの書き込みに必要な信号を光通信することを特徴とする請求項１０に記載の光送受信装置の通信方法。
【請求項１３】
請求項１から８のいずれか１項に記載の光送受信装置を備えたことを特徴とする通信システム。
【発明の詳細な説明】
【技術分野】
【０００１】
本発明は、光送受信装置に係り、特にファームウェアにより機能が実現される光送受信装置であって、ファームウェアのインシステムプログラミング及びインシステムエミュレーションが行われる光送受信装置に関する。
【背景技術】
【０００２】
近年の光送受信技術の進展に伴い、各種の光送受信装置が小型化かつ高機能化されている。例えば、装置の高機能性を実現するために、インテリジェントな制御を行うことのできる、マイクロコントローラ、あるいは、ＤＳＰ（Digital Signal Processor：デジタルシグナルプロセッサ）、ＰＬＤ（Programmable Logic Device：プログラマブルロジックデバイス）、ＦＰＧＡ（Field Programmable Gate Array）等のコントローラ類が搭載され、その機能をファームウェアにて実現する機会が増えている。
【０００３】
そのファームウェア開発の際には、マイクロプロセッサ、ＤＳＰ、ＦＰＧＡ、ＰＬＤ等のコントローラを基板上に実装した状態で、プログラムを書き込む「インシステムプログラミング」や、インサーキット・エミュレータ（ＩＣＥ）やオンチップ・エミュレータ等の装置を用いてプログラムのデバッグを行う「インシステムエミュレーション」機能を使用して開発を行うことが主流である。しかし、装置が小型となっているため、それらの機能の利用に制限がある場合がある。
【０００４】
図５は、上記に関連する光送受信装置を示す。図５に示す光送受信装置１００は、外部との間で主信号である電気信号と光とを相互に変換して光通信する光モジュールで構成される。この光モジュールは、光信号を送信する光送信部（光信号送信機能）１０１と、光信号を受信する光受信部（光信号受信機能）１０２と、マイクロプロセッサ、ＤＳＰ、ＰＬＤ、ＦＰＧＡ等のコントローラで構成される制御部８とを備える。
【０００５】
制御部８の内部には、非図示のＣＰＵ、メモリ（ＲＯＭ、ＲＡＭ等）、Ｉ／Ｏ等が配置される。メモリの記憶領域内には、ＣＰＵにより実行される装置制御用の制御プログラム（ファームウェア）が書換え可能に格納される。制御部８は、ＣＰＵがメモリの制御プログラムの命令を実行することにより、光送信部１０１と光受信部１０２の動作を制御する。
【０００６】
上記の光送受信装置１００に対し、インシステムエミュレーションやインシステムプログラミングを行うため、デバッガ１０が用いられる。デバッガ１０は、デバッグ制御対象となる制御部８との間で、コネクタ等の専用電気端子を介して、単線又は複数線から成る電気信号線で接続される（図中のデバッガ１０と制御部８との間の信号は、デバッグ信号またはプログラミング用の信号を表す）。なお、デバッガ１０は、単体の装置（ソフトウェア）としてはプログラムのデバッグのみを行うものであるが、図の例ではプログラムの書き込みを行うプログラムローダの機能も含むものとして説明する。
【０００７】
この構成において、インシステムプログラミングやインシステムエミュレーションを行う際、制御部８に対してデバッガ１０から電気信号線及び専用電気端子を介してデバッグ信号またはプログラミング用の信号となる電気信号を入力する。これにより、制御部８とデバッガ１０との間で、電気信号線及び専用電気端子を介してデバッグ信号またはプログラミング用の信号が送受信され、制御部８に対し、ファームウェアの書き込みやデバッグが行われる。
【０００８】
上記に関連して、特許文献１では、送信機、受信機、コントローラを有する光通信用の光トランシーバモジュールの記載がある。この光トランシーバモジュールでは、コントローラが光トランシーバモジュールを制御する優先順位の付与された複数のタスクコードを含むトランシーバオペレーションコードを有し、その優先順位に従い各タスクを実行する。
【０００９】
また、特許文献２では、光伝送増幅分野におけるエミュレーションを精度よく実現可能な組込みファームウェアエミュレーションシステムの記載がある。このシステムでは、外部から設定されかつ組込みファームウェアによる制御対象となる実回路の回路情報を格納するデバイス情報テーブルと、その格納データを実回路の回路情報と組込みファームウェア及び実回路の入出力情報と連携させたリレーショナルマップに変換するデータ遷移管理手段とを有し、リレーショナルマップに基づいて組込みファームウェアのエミュレーションを行う。
【特許文献１】特開２００４−２２２２９５号公報
【特許文献２】特開２００２−３３４１２７号公報
【発明の開示】
【発明が解決しようとする課題】
【００１０】
小型の光送受信装置内に使用するマイクロコントローラ、ＤＳＰのファームウェア開発において、インシステムプログラミングやインシステムエミュレーションを実現するために、専用の電気端子を必要とする。例えば、特許文献２では、外部コントローラとエミュレーション部との間の接続手段としてＵＡＲＴ（Universal Asynchronous Receiver and Transmitter）を用いている。
【００１１】
この場合、装置が小型化されると、その装置内に専用の電気端子を設ける空間を確保できず、インシステムプログラミングやインシステムエミュレーション機能を使用できなくなる場合があり、その装置のファームウェア開発を行う際に大きな障害となる。
【００１２】
本発明の目的は、光送受信装置において、装置内に専用電気端子を設けることなく、インシステムプログラミングやインシステムエミュレーション機能を実現可能とすることにある。
【課題を解決するための手段】
【００１３】
上記目的を達成するため、本発明に係る光送受信装置は、光信号を送信する光送信部と、光信号を受信する光受信部と、前記光送信部及び前記光受信部を制御する制御部とを有し、前記制御部が、前記光送信部及び前記光受信部を介して、外部装置との間で光通信することを特徴とする。
【発明の効果】
【００１４】
本発明によれば、光送受信装置において、光送受信装置内部に元来有する光送信部と光受信部を利用して制御部が外部装置との間で光通信することで、光送受信装置内に専用電気端子を設けることなく、インシステムプログラミングやインシステムエミュレーション機能を実現可能となる。
【発明を実施するための最良の形態】
【００１５】
次に、本発明に係る光送受信装置、その通信方法、及び通信システムを実施するための最良の形態について、図面を参照して詳細に説明する。
【００１６】
図１は、本発明の実施形態の最も基本的な装置構成例を示す概念図である。図１に示す本実施形態に係る光送受信装置１００は、光通信システムに適用されるもので、光送信部と光受信部とを一体に備え、外部との間で電気信号と光とを相互に変換して光通信する光モジュールで構成される。この光モジュールは、主信号である電気信号を光信号に変換して送信する光送信部（光信号送信機能、光送信器）１０１と、主信号である光信号を電気信号に変換して受信する光受信部（光信号受信機能、光受信器）１０２と、プログラム制御により機能が実現される制御部８とを備える。
【００１７】
制御部８は、マイクロプロセッサ、ＤＳＰ、ＰＬＤ、ＦＰＧＡ等のコントローラで構成される。制御部８の内部には、非図示のＣＰＵ、メモリ部（ＲＯＭ（Read Only Memory）、ＲＡＭ（Random Access Memory）等）、ＲＡＭ等）、Ｉ／Ｏ（入出力）部等のコントローラを構成する各部が配置される。そのうち、メモリ部の記憶領域内には、ＣＰＵにより実行される装置制御用の制御プログラム（ファームウェア）が書換え可能な状態で格納される。制御部８は、ＣＰＵがメモリ部の制御プログラムの命令を実行することにより、光送受信装置１００の動作を制御する。
【００１８】
この構成において、インシステムプログラミングやインシステムエミュレーションを行う際、制御部８に対して外部装置となるデバッガ１０が用いられる。デバッガは、単体の装置（ソフトウェア）としてはプログラムのデバッグのみを行うものであるが、本実施形態では、プログラムの書き込みを行うプログラムローダの機能も含むものとして説明する。デバッガ１０には、通信装置（通信インタフェース）として光送受信部（又は光送受信装置）１１が搭載又は接続されている。光送受信部１１は、電気信号を光信号に変換して送信する光送信部と、光信号を電気信号に変換して受信する光受信部とを有する。
【００１９】
本実施形態では、前述した図５に示す関連技術の光送受信装置１００のようにデバッガ１０からコネクタ等の専用電気端子及び電気信号線を介して電気信号を入力してプログラムの書換えを行うのではなく、光送受信装置１００自身が元来有する光送受信機能（光送信部１０１及び光受信部１０２）を流用し、デバッガ１０側の光送受信部１１を介して、デバッガ１０から光信号による制御信号を入力する。これによって、制御部８に対して、制御プログラムの書き込みやデバッグを行う。
【００２０】
そのため、光送受信装置１００は、自身が元来有する光信号送信機能および光信号受信機能を用いて、デバッガ１０との間で光送受信信号を用いて通信を行う。すなわち、光送受信装置１００は、制御部８より出力する信号を光送信部１０１に入力して光信号としてデバッガ１０に送信する一方、デバッガ１０から送信されてくる光信号を光受信部１０２にて電気信号として入力処理し制御部８の内部にてファームウェア処理を行う。こうすることで、光送受信装置１００において、インシステムプログラミングおよびインシステムエミュレーション機能を実現可能としている。
【００２１】
図２（ａ）は、光送受信装置１００により実現可能なインシステムプログラミング機能の制御の流れを示す制御シーケンスを説明するものである。同図（ａ）に示すように、インシステムプログラミング機能の動作開始に際し、デバッガ１０から制御部８に対しプログラミング開始信号を送信する（ステップＳ１１）。これを契機として、デバッガ１０と制御部８との間でプログラミングデータを送受信する（ステップＳ１２）。これにより、制御部８に対し、インシステムプログラミング機能によるプログラムの書き込みが行われる。その後、インシステムプログラミング機能の動作終了に際し、デバッガ１０から制御部８に対しプログラミング終了信号を送信する（ステップＳ１３）。なお、この例で用いられるプログラミング開始信号、プログラミングデータ、及びプログラミング終了信号については、上記インシステムプログラミング機能を実現可能なものであれば、いずれでも適用可能である。
【００２２】
図２（ｂ）は、光送受信装置１００により実現可能なインシステムエミュレーション機能の制御の流れを示す制御シーケンスを説明するものである。同図（ｂ）に示すように、インシステムエミュレーション機能の動作開始に際し、デバッガ１０から制御部８に対しデバッグ開始信号を送信する（ステップＳ２１）。これを契機として、デバッガ１０と制御部８との間でデバッグ信号を送受信する（ステップＳ２２）。これにより、制御部８に対し、インシステムエミュレーション機能によるプログラムのデバッグが行われる。その後、インシステムエミュレーション機能の動作終了に際し、デバッガ１０から制御部８に対しデバッグ終了信号を送信する（ステップＳ２３）。なお、この例で用いられるデバッグ開始信号、デバッグ信号、及びデバッグ終了信号については、上記インシステムエミュレーション機能を実現可能なものであれば、いずれでも適用可能である。
【００２３】
従って、本実施形態によれば、光送受信装置１００内部に元来有する光送信器と光受信器を利用し、インシステムプログラミングとインシステムエミュレーションに必要な信号を光信号として外部のデバッガ１０と通信させることで、光送受信装置２００内に専用電気端子を設けることなく、両機能を実現可能とする。また、光送受信装置１００が元来有する自身のデバイスの機能を利用するため、従来内部に必要であった専用端子が不必要となるため、装置内の空間の有効利用も可能とする。
【００２４】
なお、電気信号入力用コネクタなどが不要で小型化が可能となるほか、１）遠隔から制御できる、２）無停止でデバッグができる、３）デバッグだけでなく光送受信装置１００の調整も可能となる、といった利用法も考えられる。
【実施例１】
【００２５】
次に、図３を参照して、本発明の第１の実施例について説明する。
【００２６】
図３に示す本実施例に係る光送受信装置１００において、１は半導体レーザ、２は駆動回路であり、光送信部１０１を構成している。また、３は光電変換回路、４は識別再生回路、７は制御データ抽出回路であり、光受信部１０２を構成している。８は制御部（マイクロコントローラ、ＤＳＰ、ＰＬＤ、ＦＰＧＡ等）、９は光ファイバ伝送路である。また、５、６は識別再生回路４から制御データ抽出回路７に送られる電気信号の流れを表し、５はデータ、６はクロックである。
【００２７】
半導体レーザ１は、駆動回路２により、適切な条件のバイアス電流にて、駆動回路２に外部または制御部８より入力される信号に応じて半導体レーザ１を変調する。この半導体レーザ１の出力光信号は、必要に応じ、光送信部１０１内の図示されていない光アイソレータ、レンズ光学系を経由し、光ファイバ伝送路９へ送出され、デバッガ１０へと送信される。また、デバッガ１０からも光信号が送信され、光ファイバ伝送路９を経由し、光電変換回路３へ入力される。この光電変換回路３へ入力された光信号は、ここで光電変換され、識別再生回路４にて、再生処理され、データ５とクロック６を生成し出力する。このＤＡＴＡ５とＣＬＯＣＫ６は、必要に応じて、制御データ抽出回路７へと入力される。また、制御部８は、適宜、駆動回路２、光電変換回路３、識別再生回路４、制御データ抽出回路７を制御したり、これらから情報を得たりして、光送受信装置１００全体の制御を行う。
【００２８】
次に、本実施例の動作について説明する。
【００２９】
本実施例では、制御部８からの信号を、駆動回路２、半導体レーザ１を経由しデバッガ１０に送信すること、および、デバッガ１０から送信される光信号を、光電変換回路３、識別再生回路４を介して、制御データ抽出回路７へ入力することにより、インシステムプログラミング、およびインシステムエミュレーションに必要な情報を分離抽出し、その情報を制御部８が得ることで、外部と交信することを可能とする。
【００３０】
以上説明したように、本実施例においては、以下に記載するような効果を奏する。
【００３１】
１）本実施例では、光送信部（半導体レーザ１、駆動回路２）と光信号受信部（光電回路３、識別再生回路４、制御データ抽出回路７）を介することで、制御部８とデバッガ１０とで通信を行っている。この通信により、インシステムプログラミングおよびインシステムエミュレーション機能を提供しているので、光送受信装置内部にデバッガ１０との接続の仕組みを組み込む必要が無いため、装置内部の空間を確保できる。これにより、近年の装置の小型化への取り組みにおいて、実装上の制約を排除できる。
【００３２】
２）本実施例では、上記に示したように、インシステムプログラミングおよびインシステムエミュレーションに光信号を利用している。このため、光ファイバ伝送路９を介することで、遠隔地からのインシステムプログラミングおよびインシステムエミュレーションを実行できる。
【００３３】
なお、本実施例の上記構成において、識別再生回路４を省略し、光電変換回路３にて電気変換された信号を、制御データ抽出回路７へ入力する構成を採用してもよい。
【実施例２】
【００３４】
次に、図４を参照して、本発明の第２の実施例について説明する。
【００３５】
図４に示す本実施例に係る光送受信装置１００は、図１に示す光送信部１０１、光受信部１０２、及び制御部８の基本構成に加え、光送信部１０１を介して送信する信号として、制御部８からデバッガ１０へ送信するデバッガ信号と主信号とを多重化する多重化装置１０３と、光受信部１０２を介して受信された信号から、デバッガ１０から制御部８への信号と主信号とを分岐させる分岐装置１０４とを追加した例である。この例では、デバッガ１０と制御部８との間のデバッグ信号は、デバッガ１０が制御部８を制御するために送られる信号と、デバッガ１０が制御部８の状態を知るために受け取る信号とを必要とする。なお、図中に示す制御信号は、制御部８が光送信部１０１と光受信部１０２を適当な動作状態へ制御するための信号であり、デバッグ信号と区別するため、表記してある。
【００３６】
上記構成において、デバッガ１０から制御部８へのデバッグ信号は、光受信部１０２の後段に設置してある分岐装置１０４において、主信号とデバッグ信号に分割され、デバッグ信号は制御部８へ送られる。また、制御部８からデバッガ１０への信号は、多重化装置１０３において、主信号成分と多重化されたのち、光送信部１０１にて光信号に変換され、デバッガ１０へ送信される。
【００３７】
従って、本実施例によれば、前述した実施形態と同様の効果を得る一方、さらに多重化装置及び分岐装置を加えた構成にも適用できるため、光送受信装置の設計選択肢の幅をより一層広げる等の利点もある。
【００３８】
なお、上記実施形態、上記第１及び第２の実施例の構成に限らず、本発明に係る光送受信装置は、光信号を送信する光送信部と、光信号を受信する光受信部と、光送信部及び光受信部を制御する制御部とを有し、制御部が、光送信部及び光受信部を介して、外部装置との間で光通信するものであれば、いずれのものでも適用可能である。
【００３９】
この場合、上記実施形態、及び上記第１及び第２の実施例で説明したように、制御部は、プログラム制御により機能を実現するものであり、外部装置は、制御部で用いられるプログラムの書き込み及びデバッグを行う機能を有するものであり、制御部が、光送信部及び光受信部を介して、外部装置との間でプログラムの書き込み及びデバッグに必要な信号を光通信することが好適である。特に、外部装置は、デバッガを有し、制御部が、光送信部及び光受信部を介して、デバッガとの間でプログラムのデバッグに必要な信号を光通信してもよい。あるいは、外部装置は、プログラムローダを有し、制御部が、光送信部及び光受信部を介して、プログラムローダとの間でプログラムの書き込みに必要な信号を光通信してもよい。
【００４０】
上記構成において、光送信部は、半導体レーザと、制御部からの信号に基づいて半導体レーザを駆動する駆動回路とを有し、光受信部は、光電変換回路と、光電変換回路により光電変換された信号からプログラムの書き込み及びデバッグに必要な信号を分離抽出するデータ抽出回路とを有してもよい。また、光受信部は、光電変換回路により光電変換された信号を識別再生してデータとクロックを生成しデータ抽出回路へ出力する識別再生回路をさらに有してもよい。
【００４１】
上記構成において、光送信部を介して送信する信号として、制御部から外部装置へ送信する信号と主信号とを多重化する多重化装置と、光受信部を介して受信された信号から、外部装置から制御部への信号と主信号とを分岐させる分岐装置とを更に有してもよい。
【００４２】
上記構成において、光送信部及び光受信部は、外部装置との間で光ファイバ伝送路を介して光通信可能に接続されることが望ましい。
【００４３】
また、本発明に係る光送受信装置の通信方法は、光信号を送信する光送信部と、光信号を受信する光受信部と、光送信部及び光受信部を制御する制御部とを有する光送受信装置の通信方法であって、制御部が、光送信部及び光受信部を介して、外部装置との間で光通信するものであれば、いずれのものでも適用可能である。
【００４４】
この場合、制御部は、プログラム制御により機能を実現するものであり、外部装置は、制御部で用いられるプログラムの書き込み及びデバッグを行う機能を有するものであり、制御部が、光送信部及び光受信部を介して、外部装置との間でプログラムの書き込み及びデバッグに必要な信号を光通信してもよい。特に、外部装置は、デバッガを有し、制御部が、光送信部及び光受信部を介して、デバッガとの間でプログラムのデバッグに必要な信号を光通信してもよい。あるいは、外部装置は、プログラムローダを有し、制御部が、光送信部及び光受信部を介して、プログラムローダとの間でプログラムの書き込みに必要な信号を光通信してもよい。
【００４５】
さらに、本発明に係る通信システムは、上記構成の光送受信装置を備えたものであれば、いずれのものでも適用可能である。
【産業上の利用可能性】
【００４６】
以上説明したように、本発明は、光送受信装置の光送信部および光受信部を利用したインシステムプログラミングおよびインシステムエミュレーション方法に利用でき、例えば光送受信装置、ネットワーク装置における装置開発や光送受信モジュール開発等に利用可能である。
【図面の簡単な説明】
【００４７】
【図１】本発明の実施形態に係る光送受信装置の内部構成を示すブロック図である。
【図２】（ａ）はインシステムプログラミングの制御の流れを説明するフローチャート、（ｂ）はインシステムエミュレーションの制御の流れを説明するフローチャートである。
【図３】本発明の第１の実施例に係る光送受信装置の内部構成を示すブロック図である。
【図４】本発明の第２の実施例に係る光送受信装置の内部構成を示すブロック図である。
【図５】関連技術の光送受信装置の内部構成を示すブロック図である。
【符号の説明】
【００４８】
１  半導体レーザ
２  駆動回路
３  光電変換回路
４  識別再生回路
５  データ
６  クロック
７  制御データ抽出回路
８  制御部
９  光ファイバ伝送路
１０  デバッガ
１１  光送受信部
１００  光送受信装置（光モジュール）
１０１  光送信部
１０２  光受信部
１０３  多重化装置
１０４  分岐装置
【図１】
2009200585.tif 000003
【図２】
2009200585.tif 000004
【図３】
2009200585.tif 000005
【図４】
2009200585.tif 000006
【図５】
2009200585.tif 000007